(57)【要約】【課題】管理者による設定値の一元管理をより確実なものとすると共に設定値の一元管理が容易な携帯端末及びこの携帯端末を有する携帯端末管理システムを提供することを目的とする。【解決手段】携帯端末が、設定値ファイルを入力する入力部と、前記設定値ファイルを記憶する記憶部と、近距離通信によって各種信号を送受信する近距離通信部と、前記入力部から入力される前記設定値ファイルを前記記憶部に記憶させ、前記近距離通信部が実行指示信号を受信すると、前記実行指示信号に基づいて前記設定値ファイルに登録されている設定値へ変更する制御部とを具備するという手段を採用する。【選択図】図２
2009099128.tif 000002
【特許請求の範囲】
【請求項１】
設定値ファイルを入力する入力部と、
前記設定値ファイルを記憶する記憶部と、
近距離通信によって各種信号を送受信する近距離通信部と、
前記入力部から入力される前記設定値ファイルを前記記憶部に記憶させ、前記近距離通信部が実行指示信号を受信すると、前記実行指示信号に基づいて前記設定値ファイルに登録されている設定値へ変更する制御部とを具備することを特徴とする携帯端末。
【請求項２】
生体認証部を、さらに備え、
前記記憶部は予め前記生体認証入力部から入力された第１の生体認証情報を記憶し、
前記設定値ファイルを変更する際に、新たに前記生体認証入力部から入力された第２の生体認証情報と前記第１の生体認証情報との一致または不一致を判定し、一致した場合に前記設定値ファイルに登録されている設定値へ変更する制御部とを具備することを特徴とする請求項１に記載の携帯端末。
【請求項３】
前記設定値ファイルに登録されている前記設定値は暗号化されていることを特徴とする請求項１または２に記載の携帯端末。
【請求項４】
前記制御部は、前記近距離通信部が位置情報を含む前記実行指示信号を受信すると、前記位置情報に基づいて前記設定値ファイルに登録されている前記設定値を復号化することを特徴とする請求項３記載の携帯端末。
【請求項５】
表示部をも具備し、
前記制御部は、前記入力部から前記設定値ファイルを添付した電子メールが入力されると、前記表示部に当該設定値ファイルを表示させずに電子メールのみ表示させることを特徴とする請求項１〜４いずれか一項記載の携帯端末。
【請求項６】
請求項１〜５のいずれか一項に記載された携帯端末と、
近距離通信によって前記実行指示信号を送信する電子機器とを具備することを特徴とする携帯端末管理システム。
【発明の詳細な説明】
【技術分野】
【０００１】
本発明は、携帯端末及び携帯端末管理システムに関する。
【背景技術】
【０００２】
周知のように、携帯電話やＰＨＳ端末等の携帯端末では、個人情報や特定の設定項目の設定値をパスワードによって保護し、パスワードを入力することにより個人情報の閲覧及び特定の設定値の変更が可能となる。
【０００３】
下記特許文献１には、計算システムが、外部端末との間で赤外線による無線通信が可能なＩｒＤＡポートを有するＩｒＤＡ−ＩＦと、このＩｒＤＡ−ＩＦと接続されたシステム管理コントローラとを備え、このシステム管理コントローラがＩｒＤＡ−ＩＦを介して外部端末と赤外線による無線通信を行い、パスワード等の認証情報を受信することで外部端末から指示された設定変更等のシステム管理を実行する技術が開示されている。
【特許文献１】特開２００２−２７０２７号公報
【発明の開示】
【発明が解決しようとする課題】
【０００４】
ところで、上記従来技術では、パスワードによって設定値等を保護している為、総当り法等によるパスワードの不正解除が行われると管理者以外の人間が設定値を変更することが可能である。特に、企業における携帯端末の使用において、携帯端末の管理者と実際に使用するユーザが別人である場合に、ユーザが携帯端末のパスワードを不正解除し、その携帯端末の設定値を変更するおそれがある。
【０００５】
本発明は、上述した事情を鑑みたものであり、管理者による設定値の一元管理をより確実なものとすると共に設定値の一元管理が容易な携帯端末及びこの携帯端末を有する携帯端末管理システムを提供することを目的とする。
【課題を解決するための手段】
【０００６】
上記目的を達成するために、本発明では、携帯端末に係る第１の解決手段として、設定値ファイルを入力する入力部と、前記設定値ファイルを記憶する記憶部と、近距離通信によって各種信号を送受信する近距離通信部と、前記入力部から入力される前記設定値ファイルを前記記憶部に記憶させ、前記近距離通信部が実行指示信号を受信すると、前記実行指示信号に基づいて前記設定値ファイルに登録されている設定値へ変更する制御部とを具備するという手段を採用する。
【０００７】
本発明では、携帯端末に係る第２の解決手段として、第１の解決手段に、更に、生体認証部を備え、前記記憶部は予め前記生体認証入力部から入力された第１の生体認証情報を記憶し、前記設定値ファイルを変更する際に、新たに前記生体認証入力部から入力された第２の生体認証情報と前記第１の生体認証情報との一致または不一致を判定し、一致した場合に前記設定値ファイルに登録されている設定値へ変更する制御部とを具備するという手段を採用する。
【０００８】
本発明では、携帯端末に係る第３の解決手段として、上記第１または第２の解決手段において、前記設定値ファイルに登録されている前記設定値は暗号化されているという手段を採用する。
【０００９】
本発明では、携帯端末に係る第４の解決手段として、上記第１または第２の解決手段において、前記制御部は、前記近距離通信部が位置情報を含む前記実行指示信号を受信すると、前記位置情報に基づいて前記設定値ファイルに登録されている前記設定値を復号化するという手段を採用する。
本発明では、携帯端末に係る第５の解決手段として、上記第１〜第４いずれかの解決手段において、表示部をも具備し、前記制御部は、前記入力部から前記設定値ファイルを添付した電子メールが入力されると、前記表示部に当該設定値ファイルを表示させずに電子メールのみ表示させるという手段を採用する。
【００１０】
また、本発明では、携帯端末管理システムに係る第１の解決手段として、上記第１〜第５いずれかの解決手段に記載された携帯端末と、近距離通信によって前記実行指示信号を送信する電子機器とを具備するという手段を採用する。
【発明の効果】
【００１１】
本発明によれば、制御部が入力部から入力される設定値ファイルを記憶部へ記憶し、実行指示信号に基づいて、設定値ファイルに登録されている設定値に変更する為、管理者による設定値の一元管理をより確実なものとすることが可能となる。
【００１２】
また、複数の携帯端末において、入力部が同一の設定値ファイルを入力し、制御部が当該設定値ファイルに基づいて設定値を変更することで、管理者による複数の携帯端末の設定値の一元管理が容易となる。
【発明を実施するための最良の形態】
【００１３】
以下、図面を参照して、本発明の一実施形態について説明する。本実施形態は、携帯端末の１つであるＰＨＳ端末及びこのＰＨＳ端末を含む携帯端末管理システムに関する。
【００１４】
図１は本発明の一実施形態に係る携帯端末管理システム７を示すシステム構成図であり、図２は本発明の一実施形態に係るＰＨＳ端末Ａ１の機能ブロック図である。  
【００１５】
図１に示すように、携帯端末管理システム７は、ＰＨＳ端末Ａ１〜Ａｎ、パーソナルコンピュータＢ、基地局Ｃ、メールサーバＤ及びインターネット網Ｅとから構成される。このＰＨＳ端末Ａ１〜Ａｎは、同一の管理者によって管理される複数のＰＨＳ端末である。なお、ＰＨＳ端末Ａ１〜Ａｎは、本発明における携帯端末であり、またパーソナルコンピュータＢは、本発明における電子機器である。
【００１６】
ＰＨＳ端末Ａ１は、図２に示すように通信部１、操作部２、表示部３、記憶部４、赤外線通信部５及び制御部６から構成されている。通信部１は、本発明における入力部であり、また赤外線通信部５は、本発明における近距離通信部である。なお、ＰＨＳ端末Ａ２〜ＡｎもＰＨＳ端末Ａ１と同様の上記機能によって構成される。
【００１７】
通信部１、制御部６による制御の下、基地局Ｃと音声信号、制御信号及びデータ信号等の各種信号の送受信を行う。この通信部１は、基地局Ｃ、メールサーバＤ及びインターネット網Ｅを介してパーソナルコンピュータＢから送信される電子メールを受信する。
【００１８】
操作部２は、電源キー、テンキー、各種ファンクションキー等の各種操作キーから構成されており、これらの操作キーに対するユーザの操作指示を制御部６に出力する。
【００１９】
表示部３は、例えば液晶モニタまたは有機ＥＬモニタ等であり、制御部６の指示に基づいて画像や文字からなる各種画面を表示する。
【００２０】
記憶部４は、不揮発記憶媒体であり、制御部６の指示に基づいてｖＳｅｔｔｉｎｇファイルを記憶する。上記ｖＳｅｔｔｉｎｇファイルとは、設定項目並びに設定項目の設定値、設定項目及び設定値の画面表示／非表示、認証位置情報及び認証パスワード等を暗号化した特殊な専用フォーマットに準拠するファイルである。
【００２１】
赤外線通信部５は、制御部６の制御に基づいて赤外線による無線の近距離通信によって各種信号を送受信する。この赤外線通信部５は、パーソナルコンピュータＢから送信される位置情報及びパスワードを受信する。
【００２２】
制御部６は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）及び
ＲＡＭ（Ｒａｎｄｏｍ  Ａｃｃｅｓｓ  Ｍｅｍｏｒｙ）から構成される内部メモリ並びに上記通信部１、操作部２、表示部３、記憶部４及び赤外線通信部５と信号の入出力をそれぞれ行うインタフェース回路等から構成されており、上記ＲＯＭに記憶された制御プログラム、通信部１並びに赤外線通信部５が受信する各種信号、操作部２が受け付ける操作指示及びに基づいてＰＨＳ端末Ａ１の全体動作を制御する。
【００２３】
この制御部６は、内部機能構成要素として電子メール処理部６ａ及びｖＳｅｔｔｉｎｇファイル処理部６ｂを備えており、電子メール処理部６ａは通信部１を介して外部と送受信する電子メールの作成及び表示等の処理を実行すると共に電子メールに添付されるｖＳｅｔｔｉｎｇファイルを記憶部４に記憶させ、ｖＳｅｔｔｉｎｇファイル処理部６ｂは、赤外線通信部５が受信する位置情報及びパスワードを認証すると記憶部４が記憶するｖＳｅｔｔｉｎｇファイルに対して復号化等の処理を実行する。なお、この制御部６の制御処理の詳細については、以下にＰＨＳ端末Ａ１の動作として説明する。
【００２４】
パーソナルコンピュータＢは、デスクトップ型のパーソナルコンピュータであり、ｖＳｅｔｔｉｎｇファイルを添付した電子メールを基地局Ｃ、メールサーバＤ及びインターネット網Ｅを介してＰＨＳ端末Ａ１〜Ａｎへ送信すると共にｖＳｅｔｔｉｎｇファイルに登録されている設定値へＰＨＳ端末Ａ１〜Ａｎを変更する為に、位置情報及パスワードを赤外線による無線の近距離通信によってＰＨＳ端末Ａに送信する。
【００２５】
図３は、携帯端末管理システム７及びＰＨＳ端末Ａ１の動作を示すシーケンス図である。
【００２６】
図３を参照して、上記構成のＰＨＳ端末Ａ１〜Ａｎを含む携帯端末管理システム７における、ＰＨＳ端末Ａ１〜Ａｎの中のＰＨＳ端末Ａ１を例として、その動作を詳しく説明する。
【００２７】
企業におけるＰＨＳ端末等の携帯端末の使用において、携帯端末の管理者と実際の利用するユーザが別人である場合に、ユーザによってパスワードが不正解除されることにより設定値が勝手に変更されることが懸念される。
【００２８】
本発明の一実施形態に係るＰＨＳ端末Ａ１では、このような懸念を考慮して、管理者によってパーソナルコンピュータＢから送信されるｖＳｅｔｔｉｎｇファイルを添付した電子メールを受信し、赤外線による近距離通信によってパーソナルコンピュータＢから受信する位置情報及びパスワードに基づいてｖＳｅｔｔｉｎｇファイルに登録されている設定値に変更する。
【００２９】
まず、ＰＨＳ端末Ａ１の管理者によってパーソナルコンピュータＢが、ｖＳｅｔｔｉｎｎｇファイルを添付した電子メールをＰＨＳ端末Ａ１へ送信する（ステップＳ１）。なお、ステップＳ１において、パーソナルコンピュータＢは、ＰＨＳ端末Ａ１以外のＰＨＳ端末Ａ２〜Ａｎへも同様の電子メールを送信する。  
【００３０】
ＰＨＳ端末Ａ１の電子メール処理部６ａは、通信部１が電子メールを受信すると、受信した電子メールにｖＳｅｔｔｉｎｎｇファイルが添付されているか否か判定し（ステップＳ２）、ステップＳ２において『ＮＯ』と判定する場合、すなわち電子メールにｖＳｅｔｔｉｎｎｇファイルが添付されていない場合は、通常のメール処理を行う（ステップＳ３）。
【００３１】
上記ステップＳ２において、電子メール処理部６ａは、電子メールに添付されているファイルの拡張子（例えばｖＳｅｔｔｉｎｎｇファイルは「．ｖｓｅｔ」）及び／または電子メールに含まれるコンテンツタイプ情報等に基づいて、電子メールにｖＳｅｔｔｉｎｎｇファイルが添付されているか否か判断する。
【００３２】
電子メール処理部６ａは、ステップＳ２において『ＹＥＳ』と判定する場合、すなわち受信した電子メールにｖＳｅｔｔｉｎｎｇファイルが添付されている場合、電子メールの送信元、件名及び本文のみを表示部３に表示させ、添付されたｖＳｅｔｔｉｎｎｇファイルは表示させない（ステップＳ４）。上記ステップＳ４において、ｖＳｅｔｔｉｎｎｇファイルを表示しないのは、ｖＳｅｔｔｉｎｎｇファイルが電子メールに添付されていることをユーザに報知しない為である。
【００３３】
電子メール処理部６ａは、電子メールに添付されているｖＳｅｔｔｉｎｇファイルを記憶部４に記憶する（ステップＳ５）。この記憶部４に記憶されたｖＳｅｔｔｉｎｇファイルは、赤外線通信部５が位置情報及びパスワードを受信しない限りｖＳｅｔｔｉｎｇファイル処理部６ｂによって読み出しは行われず、例えばユーザから操作部２が受け付けた操作指示に基づきｖＳｅｔｔｉｎｇファイルがｖＳｅｔｔｉｎｇファイル処理部６ｂから読み出されるということはない。
なお、上記電子メールにはＰＨＳ端末Ａ１を管理者まで持って行く旨の指示が記載されており、ユーザはＰＨＳ端末Ａ１を管理者まで持って行く。
【００３４】
ＰＨＳ端末Ａ１の管理者によってパーソナルコンピュータＢは、赤外線による近距離通信によってＰＨＳ端末Ａ１へｖＳｅｔｔｉｎｇファイルを復号するための位置情報及びパスワード（実行指示信号）を送信する（ステップＳ６）。
【００３５】
ＰＨＳ端末Ａ１のｖＳｅｔｔｉｎｇファイル処理部６ｂは、赤外線通信部５が赤外線による近距離通信によって位置情報及びパスワードを受信すると、受信したパスワードと記憶部４が記憶するｖＳｅｔｔｉｎｇファイルに登録されている認証パスワードとが一致するか否か判定する（ステップＳ７）。
【００３６】
ｖＳｅｔｔｉｎｇファイル処理部６ｂは、ステップＳ７において『ＮＯ』と判定する場合、すなわち認証パスワードと受信したパスワードが一致しない場合は、処理を終了し、ステップＳ７において『ＹＥＳ』と判定する場合、すなわち認証パスワードと受信したパスワードが一致する場合は、受信した位置情報と記憶部４が記憶するｖＳｅｔｔｉｎｇファイルに登録されている認証位置情報の差が所定のしきい値以下であるか否か判定する（ステップＳ８）。
【００３７】
この上記位置情報とは、ＧＰＳ（Ｇｌｏｂａｌ  Ｐｏｓｉｔｉｏｎｉｎｇ  Ｓｙｓｔｅｍ）等に基づいてパーソナルコンピュータＢの位置を示す情報である。ＰＨＳ端末Ａ１では、認証位置情報に近似する位置に存在するパーソナルコンピュータＢ等の外部機器から赤外線による近距離通信によってその位置情報を受信し、ステップＳ７において認証位置情報と受信する位置情報の差が所定のしきい値以内であると判定された場合にｖＳｅｔｔｉｎｇファイルを復号することが出来る。すなわち、認証位置情報が示す位置から離れた場所では、ｖＳｅｔｔｉｎｇファイルを復号することが出来ない。
【００３８】
ｖＳｅｔｔｉｎｇファイル処理部６ｂは、ステップＳ８において『ＮＯ』と判定する場合、すなわち位置情報と認証位置情報の差が所定のしきい値より大きい場合は、処理を終了し、ステップＳ８において『ＹＥＳ』と判定する場合、すなわち位置情報と認証位置情報の差が所定のしきい値以下である場合は、ｖＳｅｔｔｉｎｇファイルを復号化し、このｖＳｅｔｔｉｎｇファイルに登録されている設定値へ変更する（ステップＳ９）。
【００３９】
ｖＳｅｔｔｉｎｇファイル処理部６ｂは、ｖＳｅｔｔｉｎｇファイルに登録されている設定項目及び設定値の画面表示／非表示に基づいて画面表示であるか否か判定し（ステップＳ１０）、ステップＳ１０において『ＹＥＳ』と判定する場合、すなわち画面表示である場合は、設定項目及び設定値を表示部３に表示させ（ステップＳ１１）、ステップＳ１０において『ＮＯ』と判定する場合、すなわち非表示である場合は、表示部３に設定項目及び設定値を表示させない（ステップＳ１２）。
【００４０】
以上説明したように、本実施形態によれば、管理者によってパーソナルコンピュータＢから送信された電子メールに添付されているｖＳｅｔｔｉｎｇファイルを記憶部４が記憶し、ｖＳｅｔｔｉｎｇファイル処理部６ｂがそのｖＳｅｔｔｉｎｇファイルに登録されている設定値へ変更する為、管理者による設定値の一元管理をより確実なものとすることが可能となる。また、パーソナルコンピュータＢからＰＨＳ端末Ａ１〜ＡｎにｖＳｅｔｔｉｎｇファイルを添付した電子メールを送信し、そのｖＳｅｔｔｉｎｇファイルに基づいてＰＨＳ端末Ａ１〜ＡｎのｖＳｅｔｔｉｎｇファイル処理部６ｂが設定値を変更することにより、管理者による複数台の携帯端末の設定値の一元管理が容易となる。
【００４１】
ＰＨＳ端末Ａ１は、図４に示すように通信部１、操作部２、表示部３、記憶部４、赤外線通信部５、生体認証部（入力部）１０及び制御部６から構成されている。通信部１は、本発明における入力部であり、また赤外線通信部５は、本発明における近距離通信部である。なお、ＰＨＳ端末Ａ２〜ＡｎもＰＨＳ端末Ａ１と同様の上記機能によって構成される。
【００４２】
通信部１、制御部６による制御の下、基地局Ｃと音声信号、制御信号及びデータ信号等の各種信号の送受信を行う。この通信部１は、基地局Ｃ、メールサーバＤ及びインターネット網Ｅを介してパーソナルコンピュータＢから送信される電子メールを受信する。
【００４３】
操作部２は、電源キー、テンキー、各種ファンクションキー等の各種操作キーから構成されており、これらの操作キーに対するユーザの操作指示を制御部６に出力する。
【００４４】
表示部３は、例えば液晶モニタまたは有機ＥＬモニタ等であり、制御部６の指示に基づいて画像や文字からなる各種画面を表示する。
【００４５】
記憶部４は、不揮発記憶媒体であり、制御部６の指示に基づいてｖＳｅｔｔｉｎｇファイルを記憶する。上記ｖＳｅｔｔｉｎｇファイルとは、設定項目並びに設定項目の設定値、設定項目及び設定値の画面表示／非表示、認証位置情報及び認証パスワード等を暗号化した特殊な専用フォーマットに準拠するファイルである。
【００４６】
赤外線通信部５は、制御部６の制御に基づいて赤外線による無線の近距離通信によって各種信号を送受信する。この赤外線通信部５は、パーソナルコンピュータＢから送信される位置情報及びパスワードを受信する。
【００４７】
生体認証部は、予め携帯端末管理システムの管理者Ｆの第１の生体認証情報（指紋認証等）を記憶部４に記憶しておき、設定値ファイルを変更する際に、新たに前記生体認証入力部から入力された第２の生体認証情報と前記第１の生体認証情報が、携帯端末管理システムの管理者Ｆのものと一致した場合に前記設定値ファイルに登録されている設定値へ変更する制御を行う。
【００４８】
前記生体認証部は指紋認証部、静脈認証部、虹彩認証部等を用いることが可能である。
【００４９】
制御部６は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）から構成される内部メモリ並びに上記通信部１、操作部２、表示部３、記憶部４及び赤外線通信部５と信号の入出力をそれぞれ行うインタフェース回路等から構成されており、上記ＲＯＭに記憶された制御プログラム、通信部１並びに赤外線通信部５が受信する各種信号、操作部２が受け付ける操作指示及びに基づいてＰＨＳ端末Ａ１の全体動作を制御する。
【００５０】
この制御部６は、内部機能構成要素として電子メール処理部６ａ及びｖＳｅｔｔｉｎｇファイル処理部６ｂを備えており、電子メール処理部６ａは通信部１を介して外部と送受信する電子メールの作成及び表示等の処理を実行すると共に電子メールに添付されるｖＳｅｔｔｉｎｇファイルを記憶部４に記憶させ、ｖＳｅｔｔｉｎｇファイル処理部６ｂは、赤外線通信部５が受信する位置情報及びパスワードを認証すると記憶部４が記憶するｖＳｅｔｔｉｎｇファイルに対して復号化等の処理を実行する。なお、この制御部６の制御処理の詳細については、以下にＰＨＳ端末Ａ１の動作として説明する。
【００５１】
パーソナルコンピュータＢは、デスクトップ型のパーソナルコンピュータであり、ｖＳｅｔｔｉｎｇファイルを添付した電子メールを基地局Ｃ、メールサーバＤ及びインターネット網Ｅを介してＰＨＳ端末Ａ１〜Ａｎへ送信すると共にｖＳｅｔｔｉｎｇファイルに登録されている設定値へＰＨＳ端末Ａ１〜Ａｎを変更する為に、位置情報及パスワードを赤外線による無線の近距離通信によってＰＨＳ端末Ａに送信する。
【００５２】
図５は、携帯端末管理システム及びＰＨＳ端末Ａ１の動作を示すシーケンス図である。
図５は、図３に端末管理システムの管理者Ｆを追加した図である。よって、図３で説明した部分のステップとの差分を説明する。図３では、ステップ６で赤外線によりパスワード及び位置情報信号を送信しているが、図５では、パスワードを送信Ｓ６０だけでもよい。何故ならば、管理者Ｆにより生体認証Ｓ７１がなされ、ステップＳ８０で、生体認証の一致、不一致が判定され、システムの信頼性が担保されるからである。
【００５３】
以上、本発明の一実施形態について説明したが、本発明は上記実施形態に限定されることなく、例えば以下のような変形が考えられる。
（１）上記実施形態では、デスクトップ型のパーソナルコンピュータであるパーソナルコンピュータＢから位置情報及びパスワードをＰＨＳ端末Ａ１に送信したが本発明はこれに限定されない。
【００５４】
例えば、赤外線による近距離通信を行う機能が搭載されている携帯電話機及びＰＨＳ端末等の携帯端末、ノート型のパーソナルコンピュータ及びワークステーションが、パスワード、位置情報を送信してもよい。
（２）上記実施形態では、ＰＨＳ端末Ａ１が赤外線による無線の近距離通信によって位置情報及びパスワードを受信したが、本発明はこれに限定されない。
【００５５】
例えば、無線ＬＡＮ（Ｌｏｃａｌ  Ａｒｅａ  Ｎｅｔｗｏｒｋ）やＢｌｕｅｔｏｏｔｈ（登録商標）及びＮＦＣ（Ｎｅａｒ  Ｆｉｅｌｄ  Ｃｏｍｍｕｎｉｃａｔｉｏｎ）による無線の近距離通信によって位置情報及びパスワードを受信してもよい。また、ＵＳＢ等の規格に準拠する接続ケーブルによる有線の近距離通信によって位置情報及びパスワードを受信してもよい。
（３）上記実施形態では、ＰＨＳ端末Ａ１はｖＳｅｔｔｉｎｇファイルの記憶をメール受信によって行ったが本発明はこれに限定されない。
【００５６】
例えば、ＳＤ（Ｓｅｃｕｒｅ  Ｄｉｇｉｔａｌ）カード等の持ち運び可能な記憶媒体にｖＳｅｔｔｉｎｇファイルを記憶させ、この記憶媒体に記憶されているｖＳｅｔｔｉｎｇファイルをＰＨＳ端末Ａ１が記憶してもよい。
（４）上記実施形態では、赤外線の近距離通信によって受信したパスワード及び位置情報に基づいてｖＳｅｔｔｉｎｇファイルの認証を行ったが本発明はこれに限定されない。
【００５７】
例えば、過去に記憶部４が記憶したｖＳｅｔｔｉｎｇファイルが赤外線の近距離通信によって受信したパスワード及び位置情報に基づいて認証に成功している場合には、その後記憶部４が記憶するｖＳｅｔｔｉｎｇファイルは、既に認証に成功したｖＳｅｔｔｉｎｇファイルに登録されている認証パスワード及び認証位置情報に基づいて認証を行うようにしてもよい。
【図面の簡単な説明】
【００５８】
【図１】本発明の一実施形態に係る携帯端末管理システムのシステム構成図である。
【図２】本発明の一実施形態に係るＰＨＳ端末の機能ブロック図である。
【図３】本発明の一実施形態に係わる携帯端末管理システム及びＰＨＳ端末の動作を示すシーケンス図である。
【図４】本発明の二実施形態に係るＰＨＳ端末の機能ブロック図である。
【図５】本発明の二実施形態に係わる携帯端末管理システム及びＰＨＳ端末動作を示すシーケンス図である。
【符号の説明】
【００５９】
Ａ１〜Ａｎ…ＰＨＳ端末（携帯端末）
Ｂ…パーソナルコンピュータ（電子機器）
Ｃ…基地局
Ｄ…メールサーバ
Ｅ…インターネット網
Ｆ…管理者
１…通信部（入力部）
２…操作部
３…表示部
４…記憶部
５…赤外線通信部（近距離通信部）
６…制御部
６ａ…電子メール処理部
６ｂ…ｖＳｅｔｔｉｎｇファイル処理部
７…携帯端末管理システム
１０…生体認証部
【図１】
2009099128.tif 000003
【図２】
2009099128.tif 000004
【図３】
2009099128.tif 000005
【図４】
2009099128.tif 000006
【図５】
2009099128.tif 000007